【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
遊技球が入球可能な第１状態と、その第１状態よりも遊技球が入球困難になる第２状態と、に可変可能な可変入球手段と、
判別条件の成立に基づいて、判別を実行する判別手段と、
その判別手段による判別結果を示す識別情報が表示される表示手段と、
その表示手段に、特定の判別結果を示す識別情報が表示された場合に、前記可変入球手段が所定期間、前記第２状態から前記第１状態に可変される可変遊技を実行する可変遊技実行手段と、を有した遊技機において、
前記可変遊技が終了した後の遊技状態として、第１遊技状態と、その第１遊技状態よりも遊技者に有利な第２遊技状態と、を少なくとも含む複数の中から１の遊技状態を設定する遊技状態設定手段と、
その遊技状態設定手段により前記第２遊技状態が設定されるかを示唆することが可能な特定演出を実行する特定演出実行手段と、を備え、
前記特定演出実行手段は、前記特定の判別結果を示す前記識別情報が表示される期間のうち少なくとも一部と、当該特定の判別結果に基づく前記可変遊技が実行される期間のうち少なくとも一部と、において所定の前記特定演出を実行することが可能であり、
前記遊技機は、
前記第２遊技状態が設定される場合に、前記特定演出の実行中に所定の表示領域に特定の表示態様を表示させる手段と、
前記特定演出の演出期間に含まれる期間であって前記特定の判別結果を示す前記識別情報が表示される期間のうち少なくとも一部である第１期間において、前記所定の表示領域に対して前記特定の判別結果に対応する所定図柄を表示させる手段と、を有し、
前記第２遊技状態において前記判別手段による所定の判別がされてから、当該所定の判別を含む複数回の判別がされる期間に渡って継続可能な演出によって、前記所定の判別を少なくとも含む１又は複数の判別で前記特定の判別結果となるかを遊技者に対して示唆可能な構成であり、
前記第２遊技状態で前記判別手段の判別結果を示すために実行される演出の実行中において、前記所定の表示領域で表示動作が行われている間に、前記可変遊技の実行中は少なくとも変位しない所定の変位部材の変位動作が行われ得る構成であり、
前記所定の表示領域を用いて、前記所定図柄の表示とは少なくとも異なる所定の報知を行うことが可能な構成であることを特徴とする遊技機。
【請求項２】
遊技球を発射可能な発射手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、当たりに当選した場合に、当たり終了後に有利度合いが高い遊技状態へと移行可能に構成し、興趣向上を図っているものがある。
【手続補正３】
【補正対象書類名】明細書
【補正対象項目名】０００４
【補正方法】変更
【補正の内容】
【０００４】
しかしながら、更なる興趣向上が求められていた。
【手続補正４】
【補正対象書類名】明細書
【補正対象項目名】０００５
【補正方法】変更
【補正の内容】
【０００５】
本発明は、上記例示した問題点等を解決するためになされたものであり、遊技者の遊技に対する興趣を向上できる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、遊技球が入球可能な第１状態と、その第１状態よりも遊技球が入球困難になる第２状態と、に可変可能な可変入球手段と、判別条件の成立に基づいて、判別を実行する判別手段と、その判別手段による判別結果を示す識別情報が表示される表示手段と、その表示手段に、特定の判別結果を示す識別情報が表示された場合に、前記可変入球手段が所定期間、前記第２状態から前記第１状態に可変される可変遊技を実行する可変遊技実行手段と、を有し、前記可変遊技が終了した後の遊技状態として、第１遊技状態と、その第１遊技状態よりも遊技者に有利な第２遊技状態と、を少なくとも含む複数の中から１の遊技状態を設定する遊技状態設定手段と、その遊技状態設定手段により前記第２遊技状態が設定されるかを示唆することが可能な特定演出を実行する特定演出実行手段と、を備え、前記特定演出実行手段は、前記特定の判別結果を示す前記識別情報が表示される期間のうち少なくとも一部と、当該特定の判別結果に基づく前記可変遊技が実行される期間のうち少なくとも一部と、において所定の前記特定演出を実行することが可能であり、前記遊技機は、前記第２遊技状態が設定される場合に、前記特定演出の実行中に所定の表示領域に特定の表示態様を表示させる手段と、前記特定演出の演出期間に含まれる期間であって前記特定の判別結果を示す前記識別情報が表示される期間のうち少なくとも一部である第１期間において、前記所定の表示領域に対して前記特定の判別結果に対応する所定図柄を表示させる手段と、を有し、前記第２遊技状態において前記判別手段による所定の判別がされてから、当該所定の判別を含む複数回の判別がされる期間に渡って継続可能な演出によって、前記所定の判別を少なくとも含む１又は複数の判別で前記特定の判別結果となるかを遊技者に対して示唆可能な構成であり、前記第２遊技状態で前記判別手段の判別結果を示すために実行される演出の実行中において、前記所定の表示領域で表示動作が行われている間に、前記可変遊技の実行中は少なくとも変位しない所定の変位部材の変位動作が行われ得る構成であり、前記所定の表示領域を用いて、前記所定図柄の表示とは少なくとも異なる所定の報知を行うことが可能な構成である。
【手続補正６】
【補正対象書類名】明細書
【補正対象項目名】０００７
【補正方法】変更
【補正の内容】
【０００７】
請求項２記載の遊技機は、請求項１記載の遊技機において、遊技球を発射可能な発射手段を備える。
【手続補正７】
【補正対象書類名】明細書
【補正対象項目名】００１１
【補正方法】変更
【補正の内容】
【００１１】
本発明の遊技機によれば、遊技球が入球可能な第１状態と、その第１状態よりも遊技球が入球困難になる第２状態と、に可変可能な可変入球手段と、判別条件の成立に基づいて、判別を実行する判別手段と、その判別手段による判別結果を示す識別情報が表示される表示手段と、その表示手段に、特定の判別結果を示す識別情報が表示された場合に、前記可変入球手段が所定期間、前記第２状態から前記第１状態に可変される可変遊技を実行する可変遊技実行手段と、を有し、前記可変遊技が終了した後の遊技状態として、第１遊技状態と、その第１遊技状態よりも遊技者に有利な第２遊技状態と、を少なくとも含む複数の中から１の遊技状態を設定する遊技状態設定手段と、その遊技状態設定手段により前記第２遊技状態が設定されるかを示唆することが可能な特定演出を実行する特定演出実行手段と、を備え、前記特定演出実行手段は、前記特定の判別結果を示す前記識別情報が表示される期間のうち少なくとも一部と、当該特定の判別結果に基づく前記可変遊技が実行される期間のうち少なくとも一部と、において所定の前記特定演出を実行することが可能であり、前記遊技機は、前記第２遊技状態が設定される場合に、前記特定演出の実行中に所定の表示領域に特定の表示態様を表示させる手段と、前記特定演出の演出期間に含まれる期間であって前記特定の判別結果を示す前記識別情報が表示される期間のうち少なくとも一部である第１期間において、前記所定の表示領域に対して前記特定の判別結果に対応する所定図柄を表示させる手段と、を有し、前記第２遊技状態において前記判別手段による所定の判別がされてから、当該所定の判別を含む複数回の判別がされる期間に渡って継続可能な演出によって、前記所定の判別を少なくとも含む１又は複数の判別で前記特定の判別結果となるかを遊技者に対して示唆可能な構成であり、前記第２遊技状態で前記判別手段の判別結果を示すために実行される演出の実行中において、前記所定の表示領域で表示動作が行われている間に、前記可変遊技の実行中は少なくとも変位しない所定の変位部材の変位動作が行われ得る構成であり、前記所定の表示領域を用いて、前記所定図柄の表示とは少なくとも異なる所定の報知を行うことが可能な構成である。
【手続補正８】
【補正対象書類名】明細書
【補正対象項目名】００１２
【補正方法】変更
【補正の内容】
【００１２】
これにより、遊技者の遊技に対する興趣を向上できるという効果がある。